(57)【要約】      （修正有）【課題】掃く機能を持つ蒸気式クリーナーを提供する。また、吸塵機能，蒸気噴射機能，拭く機能を持つ蒸気式クリーナーを提供する。【解決手段】本体上部構成部分、本体下部構成部分、掃く機能を持つユニット１１、吸入ユニット１２、蒸気ユニット１３、拭く機能を持つユニット１４からなる。そのうち、掃く機能を持つユニット、吸入ユニット、蒸気ユニット、拭く機能を持つユニットはパワーサプライヤーに接続している。パワーサプライヤーには操作ユニットがあって、この操作ユニットによって、パワーサプライヤーからの電力で掃く機能を持つユニット、吸入ユニット、蒸気ユニット、拭く機能を持つユニットが動き、同時に汚れを処理して効果的に清掃が行なえるという特徴を持つ。【選択図】  図１１
2006130050.tif 000002
【特許請求の範囲】
【請求項１】
掃く機能を持つユニット、吸入ユニット、蒸気ユニット、拭く機能を持つユニットからなり、掃く機能を持つユニット、吸入ユニット、蒸気ユニット、拭く機能を持つユニットは、パワーサプライヤーに接続されていて、このパワーサプライヤーには操作ユニットがあり、この操作ユニットによって、パワーサプライヤーからの電力で掃く機能を持つユニット、吸入ユニット、蒸気ユニット、拭く機能を持つユニットを動かし、汚れを処理して効果的に清掃が行なえるように構成したことを特徴とする、蒸気式クリーナー。
【請求項２】
ケース型の本体が上部構成部分と下部構成部分からなることを特徴とする、請求項１に記載の蒸気式クリーナー。
【請求項３】
上部構成部分前部にふたが取り付けられていることを特徴とする、請求項２に記載の蒸気式クリーナー。
【請求項４】
上部構成部分に連結固定穴及び注水口が設けられていることを特徴とする、請求項２に記載の蒸気式クリーナー。
【請求項５】
操作ユニットに第一スイッチ及び第二スイッチがあることを特徴とする、請求項１に記載の蒸気式クリーナー。
【請求項６】
第一スイッチ及び第二スイッチが本体に取り付けられた操作ハンドルの握り部分に設けられたことを特徴とする、請求項５に記載の蒸気式クリーナー。
【請求項７】
第一スイッチ及び第二スイッチが本体に設けられたことを特徴とする、請求項５に記載の蒸気式クリーナー。
【請求項８】
操作ユニットに回路板があることを特徴とする、請求項１に記載の蒸気式クリーナー。
【請求項９】
拭く機能を持つユニットに拭き板及び拭き板に相互に取り付けられたモップ布があることを特徴とする、請求項１に記載の蒸気式クリーナー。
【請求項１０】
拭く機能を持つユニットに第三駆動部分、第三駆動部分に連結する軸ロッド及び軸ロッドに連結するモップ布があることを特徴とする、請求項１に記載の蒸気式クリーナー。
【請求項１１】
本体上部構成部分、本体下部構成部分、掃く機能を持つユニット、吸入ユニット、蒸気ユニット、拭く機能を持つユニットからなり、そのうち、掃く機能を持つユニットは第一駆動部分及び第一駆動部分が連結する軸ロッドがあり、この軸ロッドにはブラシが取り付けられていて、
吸入ユニットにはファンの羽部分及びファンの羽部分に連結する第二駆動部分があり、
蒸気ユニットには、ふた板、加熱部分及びシーリングに連結するボックス部分があって、
掃く機能を持つユニット、吸入ユニット、蒸気ユニット、拭く機能を持つユニットは、パワーサプライヤーに接続していて、そのパワーサプライヤーには操作ユニットがあって、その操作ユニットがあることで、パワーサプライヤーからの電力で掃く機能を持つユニット、吸入ユニット、蒸気ユニット、拭く機能を持つユニットが動き、同時に汚れを処理して効果的に清掃が行なえるということを特徴とする、蒸気式クリーナー。
【請求項１２】
上部構成部分前部にふたが取り付けられていることを特徴とする、請求項１１に記載の蒸気式クリーナー。
【請求項１３】
上部構成部分に連結固定穴及び注水口が設けられていることを特徴とする、請求項１１に記載の蒸気式クリーナー。
【請求項１４】
操作ユニットに第一スイッチ及び第二スイッチがあることを特徴とする、請求項１１に記載の蒸気式クリーナー。
【請求項１５】
第一スイッチ及び第二スイッチが本体に取り付けられた操作ハンドルの握り部分に設けられたことを特徴とする、請求項１４に記載の蒸気式クリーナー。
【請求項１６】
第一スイッチ及び第二スイッチが本体に設けられたことを特徴とする、請求項１４に記載の蒸気式クリーナー。
【請求項１７】
操作ユニットに回路板があることを特徴とする、請求項１１に記載の蒸気式クリーナー。
【請求項１８】
拭く機能を持つユニットに拭き板及び拭き板に相互に取り付けられたモップ布があることを特徴とする、請求項１１に記載の蒸気式クリーナー。
【請求項１９】
拭く機能を持つユニットに第三駆動部分、第三駆動部分に連結する軸ロッド及び軸ロッドに連結するモップ布があることを特徴とする、請求項１１に記載の蒸気式クリーナー。
【発明の詳細な説明】
【技術分野】
【０００１】
本発明は蒸気式クリーナーに関する。本発明のクリーナーは、掃く機能を持つユニット、吸入ユニット、蒸気ユニット、及び、拭く機能を持つユニットをからなる構造を特徴とする。
【背景技術】
【０００２】
従来の蒸気式クリーナーは、一般的に蒸気機能があるだけで、その蒸気機能は往々にして特定の汚れを処理することはできない。このため、ほかのクリーナー（例えば、フロア掃除機）に頼らないと、きれいに掃除することは不可能であった。しかしながら、これらの仕事は段階式に、順序にしたがって行なわれるため、清掃にかかる時間が長くなるという欠点があった。
【発明の開示】
【発明が解決しようとする課題】
【０００３】
本発明の目的は、掃く機能を持つ蒸気式クリーナーを提供することにある。
【０００４】
本発明のもう一つの目的は、吸塵機能を持つ蒸気式クリーナーを提供することにある。
【０００５】
本発明のさらなる目的は、蒸気噴射機能を持つ蒸気式クリーナーを提供することにある。
【０００６】
本発明のまたさらなる目的は、拭く機能を持つ蒸気式クリーナーを提供することにある。
【課題を解決するための手段】
【０００７】
本発明の蒸気式クリーナーは、本体上部構成部分１６、本体下部構成部分１７、掃く機能を持つユニット１１、吸入ユニット１２、蒸気ユニット１３、拭く機能を持つユニット１４からなる。そのうち、掃く機能を持つユニット１１、吸入ユニット１２、蒸気ユニット１３、拭く機能を持つユニット１４はパワーサプライヤー１５に接続している。パワーサプライヤー１５には操作ユニット１５１があって、この操作ユニット１５１によって、パワーサプライヤー１５からの電力で掃く機能を持つユニット１１、吸入ユニット１２、蒸気ユニット１３、拭く機能を持つユニット１４を動かし、同時に汚れを処理して効果的に清掃が行なえるという特徴を持つ。
【発明の効果】
【０００８】
本発明の蒸気式クリーナーは、パワーサプライヤーに操作ユニットがあって、この操作ユニットによって、パワーサプライヤーからの電力で掃く機能を持つユニット、吸入ユニット、蒸気ユニット、拭く機能を持つユニットを動かし、同時に汚れを処理して効果的に清掃が行なえるという特徴を持つため、従来の蒸気式クリーナーの欠点がなく、一台で全ての機能を備えた全く新しい蒸気式クリーナーである。
【発明を実施するための最良の形態】
【０００９】
図１から図１０を参照いただきたい。本考案の蒸気式クリーナーは、主に掃く機能を持つユニット１１、吸入ユニット１２、蒸気ユニット１３、拭く機能を持つユニット１４からなる。そして、掃く機能を持つユニット１１、吸入ユニット１２、蒸気ユニット１３、拭く機能を持つユニット１４は、パワーサプライヤー１５に接続されている。このパワーサプライヤー１５には操作ユニット１５１があり、この操作ユニット１５１には、第一駆動部分１５２がある。さらに、操作ユニット１５１には、第一スイッチ１５１ａ、第二スイッチ１５１ｂ及び回路板１５１ｃがあり、この操作ユニット１５１によって、パワーサプライヤー１５からの電力で掃く機能を持つユニット１１、吸入ユニット１２、蒸気ユニット１３、拭く機能を持つユニット１４を動かし、汚れを処理して効果的に清掃が行なえるようになっている。
【００１０】
図１及び図３を参照いただきたい。掃く機能を持つユニット１１、吸入ユニット１２、蒸気ユニット１３、拭く機能を持つユニット１４は、本体上部構成部分１６と本体下部構成部分１７に間にある。そして、本体上部構成部分１６には、連結固定穴１６１及び注水口１６２がある。この連結固定穴１６１にはキャップ１６１ａが取り付けられていて、キャップ１６１ａ内には密封キャップ１６１ｃ及びスプリング板１６１ｄがあって、このキャップ１６１ａには貫通穴１６１ｂがあって、操作ハンドルのバー柄の部分１６１ｅの一端に設けられた連結固定部分１６１ｆが組み合わせて取り付けられる。連結固定部分１６１ｆは上部構成部分１６１ｉと下部構成部分１６１ｊ及び接合リング１６１ｋからなる。上部構成部分１６１ｉと下部構成部分１６１ｊにはそれぞれはめ込み部分１６１ｇ及びはめ込み部分１６１ｍがある。組み立てる際には、連結固定部分１６１ｆ先端にあるはめ込み部分１６１ｇ及びはめ込み部分１６１ｍが本体上部構成部分１６の連結固定穴１６１とスプリング板１６１ｄ間に取り付けられる。そして、操作ハンドルのバー柄の部分１６１ｅのもう一方の端には操作ハンドルの握り部分１６１ｈが取り付けられる。
【００１１】
図２及び図３を参照いただきたい。注水口１６２にはキャップ１６２ａ及びふた板１６２ｄがある。この蓋板１６２ｄはシールリング１６２ｅによってボックス部分１６２ｇに取り付けられている。さらに、このボックス部分１６２ｇ内には、仕切り板１６２ｆ及び加熱部分１６２ｈがある。この加熱部分１６２ｈ先端は、ボックス部分１６２ｇにある連結穴１６２ｉに連結する。最後にボックス部分１６２ｇが本体下部構成部分１７に取り付けられる。
【００１２】
図４、図５及び図６を参照いただきたい。ここでは掃く機能を持つユニット１１について説明する。本体上部構成部分１６前部には、ふた１６３があり、本体下部構成部分１７には、第一連結部分１７１ａ及び第二連結部分１７１ｂがある。第一連結部分１７１ａ及び第二連結部分１７１ｂには軸ロッド１７１ｃがある。この軸ロッド１７１ｃにはブラシ１７１ｋが取り付けられている。さらに、この軸ロッド１７１ｃと第一連結部分１７１ａの間には伝動軸１７１ｄがあって、さらに、この伝動軸１７１ｄと伝動ベルト１５２ａが連結し、この伝動ベルト１５２ａのもう一方の端と第一駆動部分１５２は連結している。
【００１３】
図７、図８及び図１１を参照いただきたい。ここでは吸入ユニット１２について説明する。本体下部構成部分１７にはくぼみ槽１７１ｐがあり、さらに、このくぼみ層１７１ｐにはふた１７１ｍ及びファンの羽部分１７１ｎが取り付けられる。このファンの羽部分１７１ｎはくぼみ槽１７１ｐによって第二駆動部分１７１ｉに取り付けられる。このくぼみ槽１７１ｐの一端には吸入口１７１ｚが開いている。さらに、この吸入口１７１ｚは弾力性のあるストッパー１７１ｙによって遮られる。ファンの羽部分１７１ｎが回転すると、空気が吸入されて気流が発生し、この弾力性のあるストッパー１７１ｙが吸入された空気の流れを受け、瞬間的に吸入口１７１ｚを開けて、吸入された汚れを吸入口１７１ｚから本体下部構成部分１７にある収納空間１７１ｏに送る。ファンの羽部分１７１ｎの回転が止まると、弾力性のあるストッパー１７１ｙはそのスプリング作用によって元の状態に戻り、吸入口１７１ｚは完全に遮断される。
【００１４】
図９、図１１を参照いただきたい。ここでは蒸気ユニットについて説明する。本体下部構成部分１７にはくぼみ槽１７１ｑがあって、このくぼみ層１７１ｑには板部分１７１ｒ及びシールリング１７１ｓがる。
【００１５】
図１０及び図１１を参照いただきたい。これは拭く機能を持つユニット１４の図である。本体下部構成部分１７にはくぼみ槽１７１ｔがあって、このくぼみ層１７１ｔには連結部分１７１ｅがあって、軸ロッド１７１ｖにあるベアリング１７１ｕ、ベアリング１７１ｈに連結する。さらに、軸ロッド１７１ｖは上部構成部分１７１ｆ及び下部構成部分１７１ｇからなる。この軸ロッド１７１ｖにはモップ布１７２ｆが取り付けられていて、組み立てると、スプリング１７１ｗによって軸ロッド１７１ｖと固定パーツ１７１ｊの間に取り付けられる。そして、軸ロッド１７１ｖと伝動ベルト１７２ｅが連結する。この伝動ベルト１７２ｅはさらに第三駆動部分１７２に連結して、最後に本体下部構成部分１７に連結する。
【００１６】
さらに、図１１を参照いただきたい。本体下部構成部分１７にはスライド部分１７１ｘがあって、本発明のクリーナーが清掃場所（例えば床）の上を移動しやすいようになっている。    
図１２及び図１３を参照いただきたい。ここでは拭く機能を持つユニット１４について説明する。本体下部構成部分１７には連結部分１７２ａがある。この連結部分１７２ａは拭き板１７２ｂにある固定部分１７２ｃが連結するようになっている。組み立てると、スプリング１７２ｄは拭き板１７２ｂと連結部分１７２ａの間に取り付けられ、拭き板１７２ｂを本体下部構成部分１７に取り付ける。さらに、拭き板１７２ｂにはモップ布１７２ｇが取り付けられる。
【００１７】
さらに、前述の第一スイッチ１５１ａ及び第二スイッチ１５１ｂは、本体上部構成部分１６にある操作ハンドルの握り部分１６１ｈに、あるいは、本体上部構成部分１６の上に取り付けられる。
【００１８】
このように、掃く機能を持つユニット１１、吸入ユニット１２、蒸気ユニット１３、拭く機能を持つユニット１４によって、本発明のクリーナーは、掃く、吸塵、蒸気噴射、拭く等の多種の機能を持つことにより、ユーザーは本考案のクリーナーを使用するだけで多項目の清掃作業を完了することが可能である。  
【図面の簡単な説明】
【００１９】
【図１】本発明の操作部分の構造を示す立体分解図である。
【図２】本発明のボックス部分の構造を示す立体分解図である。
【図３】本発明の操作部分及びボックス部分を組み立てた状態を示す立体図である。
【図４】本発明の掃く機能を持つユニットの立体分解図である。
【図５】本発明の掃く機能を持つユニットの組み立て立体図である。
【図６】本発明の掃除機を組み立て、その内部構造を上から見た立体図である。
【図７】本発明の掃除機を組み立て、その内部構造をもう一つ別の角度で上から見た立体図である。
【図８】本発明の吸入ユニットの立体分解図である。
【図９】本発明の蒸気ユニットの立体分解図である。
【図１０】本発明の拭く機能を持つユニットの立体分解図である。
【図１１】本発明の掃除機を組み立て、下から見た立体図である。
【図１２】本発明の拭く機能を持つユニットのもう一つの実施例の立体分解図である。
【図１３】本発明の拭く機能を持つユニットのもう一つの実施例の組み立て立体図である。
【符号の説明】
【００２０】
１１  掃く機能を持つユニット
１２  吸入ユニット
１３  蒸気ユニット
１４  拭く機能を持つユニット
１５  パワーサプライヤー
１５１  操作ユニット
１５１ａ  第一スイッチ
１５１ｂ  第二スイッチ
１５１ｃ  回路板
１５２  第一駆動部分
１５２ａ  伝動ベルト
１６  本体上部構成部分
１６１  連結固定穴
１６１ａ  キャップ
１６１ｂ  貫通穴
１６１ｃ  密封キャップ
１６１ｄ  スプリング板
１６１ｅ  操作ハンドルのバー柄の部分
１６１ｆ  連結固定部分
１６１ｇ  はめ込み部分
１６１ｈ  操作ハンドルの握り部分
１６１ｉ  上部構成部分
１６１ｊ  下部構成部分
１６１ｋ  接合リング
１６１ｍ  はめ込み部分
１６２  注水口
１６２ａ  キャップ
１６２ｄ  ふた板
１６２ｅ  シールリング
１６２ｆ  仕切り板
１６２ｇ  ボックス部分
１６２ｈ  加熱部分
１６２ｉ  連結穴
１６３  ふた
１７  本体下部構成部分
１７１ａ  第一連結部分
１７１ｂ  第二連結部分
１７１ｃ  軸ロッド
１７１ｄ  伝動軸
１７１ｅ  連結部分
１７１ｆ  上部構成部分
１７１ｇ  下部構成部分
１７１ｈ  ベアリング
１７１ｉ  第二駆動部分
１７１ｊ  固定パーツ
１７１ｋ  ブラシ
１７１ｍ  ふた
１７１ｎ  ファンの羽部分
１７１ｏ  収納空間
１７１ｐ  くぼみ槽
１７１ｑ  くぼみ槽
１７１ｒ  板部分
１７１ｓ  シールリング
１７１ｔ  くぼみ槽
１７１ｕ  ベアリング
１７１ｖ  軸ロッド
１７１ｗ  スプリング
１７１ｘ  スライド部分
１７１ｙ  弾力性のあるストッパー
１７１ｚ  吸入口
１７２  第三駆動部分
１７２ａ  連結部分
１７２ｂ  拭き板
１７２ｃ  固定部分
１７２ｄ  スプリング
１７２ｅ  伝動ベルト
１７２ｆ  モップ布
１７２ｇ  モップ布
【図１】
2006130050.tif 000003
【図２】
2006130050.tif 000004
【図３】
2006130050.tif 000005
【図４】
2006130050.tif 000006
【図５】
2006130050.tif 000007
【図６】
2006130050.tif 000008
【図７】
2006130050.tif 000009
【図８】
2006130050.tif 000010
【図９】
2006130050.tif 000011
【図１０】
2006130050.tif 000012
【図１１】
2006130050.tif 000013
【図１２】
2006130050.tif 000014
【図１３】
2006130050.tif 000015